(57)【要約】【課題】  日常生活において、感覚や感情を快適に刺激する用具としては、ゲームやパズルなどの遊具があるが、ゲームは勝った時の快感、又、パズルは、完成したときの達成感を満喫する用具である。しかし、最近のゲームやパズルは、ハード（機器）が、高度で複雑、又、ソフト（使用方法）に難しいルールがあり、ルールを理解するまでに時間を要すると共に、相応のスキルがないと十分に楽しめないものが多い。【解決手段】  底部に接触固定機能を有する容器等と、載置、収納機能を有する載置具及び両者のセットからなるハードと、これらのハードに多様なソフトを組み合わせることにより、ゲームやパズルとは、異なった種類の体験ができ、日常生活において、簡単に快適な感覚（五感）や感情（心）の刺激が得られる生活用具の実現である。【選択図】図４
2013009957.tif 000002
【特許請求の範囲】
【請求項１】
上部に開閉可能な密閉構造を有する容器であって、当該容器は、容器の載置具の接触固定面に接触固定するため、当該容器の底部に、前記載置具の接触固定面と着脱自在な第１の接触固定機構が設置され、前記密閉構造を介して、当該容器内部に生活用品の収容が可能な空間を有する、動物のキャラクターなどの形状からなる容器。（キャラクター形状容器Ａ）
【請求項２】
請求項１記載のキャラクター形状容器Ａにおいて、当該キャラクター形状容器Ａの底部以外の外部表面の一部に第２の接触固定機構の設置が付加されたキャラクター形状容器Ａ。（キャラクター形状容器Ｂ）
【請求項３】
動物のキャラクターなどの形状からなり、容器以外の立体形状物であって、当該立体形状物の載置具の接触固定面に接触固定するため、当該立体形状物の底部に、前記載置具の接触固定面と着脱自在な第１の接触固定機構が設置された立体形状物（キャラクター形状物Ａ）において、当該立体形状物の底部以外の外部表面の一部に第２の接触固定機構の設置が付加されたキャラクター形状物Ａ。（キャラクター形状物Ｂ）
【請求項４】
請求項３記載のキャラクター形状物Ｂと開閉可能な密閉構造を有する容器であって、当該密閉構造を介して、内部に生活用品の収容が可能な空間を有する容器（容器Ａ）とに、おいて、前記キャラクター形状物Ｂの第２の接触固定機構、と、当該容器に第３の接触固定機構の設置が付加された容器（容器Ｂ）の第３の接触固定機構が着脱自在に装着される容器Ｂ装着型キャラクター形状物Ｂ、又は、請求項３記載のキャラクター形状物Ａの一部と容器Ａの一部が、固定設置される容器Ａ設置型キャラクター形状物Ａ。
【請求項５】
上部に開閉可能な密閉構造を有する容器であって、当該容器は、容器の載置具の接触固定面に接触固定するため、当該容器の底部に、前記載置具の接触固定面と着脱自在な第１の接触固定機構が設置され、前記密閉構造を介して、内部に生活用品の収容が可能な空間を有する容器（容器Ｃ）、と、動物のキャラクターなどの形状からなる立体形状物（キャラクター構造物Ａ）とに、おいて、前記容器の底部以外の外部表面の一部に、第２の接触固定機構の設置が付加された容器（容器Ｄ）の第２の接触固定機構、と、当該立体形状物に第３の接触固定機構の設置が付加された立体形状物（キャラクター構造物Ｂ）の第３の接触固定機構が、着脱自在に装着されるキャラクター構造物Ｂ装着型容器Ｄ、又は、容器Ｃの一部とキャラクター構造物Ａの一部が、固定設置されるキャラクター構造物Ａ設置型容器Ｃ。
【請求項６】
請求項３記載のキャラクター形状物Ｂと請求項５記載のキャラクター構造物Ｂとに、おいて、前記キャラクター形状物Ｂの第２の接触固定機構、と、当該キャラクター構造物Ｂの第３の接触固定機構が、着脱自在に装着されるキャラクター構造物Ｂ装着型キャラクター形状物Ｂ、又は、請求項３記載のキャラクター形状物Ａの一部と請求項５記載のキャラクター構造物Ａの一部が、固定設置されるキャラクター構造物Ａ設置型キャラクター形状物Ａ。
【請求項７】
請求項２記載のキャラクター形状容器Ｂと請求項４記載の容器Ｂとに、おいて、前記キャラクター形状容器Ｂの第２の接触固定機構、と、当該容器Ｂの第３の接触固定機構が、着脱自在に装着される容器Ｂ装着型キャラクター形状容器Ｂ、又は、請求項１記載のキャラクター形状容器Ａの一部と請求項４記載の容器Ａの一部が、固定設置される容器Ａ設置型キャラクター形状容器Ａ。
【請求項８】
請求項１記載のキャラクター形状容器Ａ、請求項２記載のキャラクター形状容器Ｂ、請求項３記載のキャラクター形状物Ａ、キャラクター形状物Ｂ、請求項４記載の容器Ｂ装
2013009957.tif 000003
Ｃ、容器Ｄ、キャラクター構造物Ｂ装着型容器Ｄ、又は、キャラクター構造物Ａ設置型容器Ｃ、請求項６記載のキャラクター構造物Ｂ装着型キャラクター形状物Ｂ、キャラクター構造物Ａ設置型キャラクター形状物Ａ、請求項７記載の容器Ｂ装着型キャラクター形状容器Ｂ、容器Ａ設置型キャラクター形状容器Ａ（キャラクター形状容器Ａ等）、の底部を接触固定するための接触固定面を上部面として有する前記キャラクター形状容器Ａ等の載置具であって、当該載置具の接触固定面は、前記キャラクター形状容器Ａ等の底部に設置された第１の接触固定機構と着脱自在な第４の接触固定機構を有し、前記接触固定面の大きさは、ＩＳＯ２１６規格によるＡ４規格（２１０ｍｍ×２９７ｍｍ）以下であり、前記キャラクター形状容器Ａ等の載置具の内部に、構成要素を収納する空間を有し、前記キャラクター形状容器Ａ等の載置具の接触固定面の縁の内側に、当該キャラクター形状容器Ａ等を載置する範囲を規定する境界が設置されたキャラクター形状容器Ａ等の載置と収納機能を有する載置具。
【請求項９】
請求項８記載のキャラクター形状容器Ａ等と載置具とのセットからなる生活用具。
【請求項１０】
請求項８記載の構成要素と載置具とのセットであって、前記構成要素と当該載置具の内部の仕切り板により間仕切りされた各構成要素の収納部との位置関係が、１つの組として構成され、識別表示記載された組が、複数存在する請求項８記載の構成要素と載置具とのセット。
【請求項１１】
請求項８記載の構成要素と載置具とのセットであって、前記構成要素の底部に設置された第１の接触固定機構又は外部表面の設置された第２の接触固定機構の磁石、と、当該載置具の前記構成要素の収納部に設置された第５の接触固定機構の  鉄粉などの強磁性体材料の粉末が充填されたプラスチック樹脂の組み合わせから構成され、両者は、磁気的吸引力により着脱自在に装着され、又、当該載置具の前記構成要素の収納部は，予め指定され、前記構成要素と当該載置具内の前記構成要素の収納部との位置関係は、１つの組として構成され、識別表示記載された組が複数存在する請求項８記載の構成要素と載置具とのセット。
【請求項１２】
請求項１から請求項８記載のキャラクター形状容器等に設置された接触固定機構において、請求項１記載のキャラクター形状容器Ａ、請求項２記載のキャラクター形状容器Ｂ、請求項３記載のキャラクター形状物Ａ、キャラクター形状物Ｂ、請求項５記載の容器Ｃ、容器Ｄ、の底部に設置された第１の接触固定機構と請求項８記載の載置具の接触固定面に設置された第４の接触固定機構、及び、請求項３記載のキャラクター形状物Ｂと請求項４記載の容器Ｂ、請求項５記載の容器Ｄとキャラクター構造物Ｂ、請求項６記載のキャラクター形状物Ｂとキャラクター構造物Ｂ、請求項７記載のキャラクター形状容器Ｂと容器Ｂの各々に設置された第２、第３の接触固定機構が、磁石と鉄粉などの強磁性体材料の粉末が充填されたプラスチック樹脂、紙又は陶磁器との組み合わせからなる着脱自在な接触強度を有する接触固定機構。
【請求項１３】
請求項８記載のキャラクター形状容器Ａ等において、当該キャラクター形状容器Ａ等の外部表面の一部と利用者の気分状態を表わす気分情報表現部品が固定設置、又は、前記キャラクター形状容器Ａ等の外部表面の一部に設置された第６の接触固定機構と当該気分情報表現部品の外部表面に設置された第７の接触固定機構が、着脱自在に装着可能な構造を有する請求項８記載のキャラクター形状容器Ａ等。
又は、当該キャラクター形状容器Ａ等と気分情報表現部品とのセット。
【請求項１４】
請求項８  記載の構成要素において、当該構成要素の収納空間の効率的利用等を図るため、当該構成要素の一部の形状を変化させることができる形状可変部を有する請求項８記載の構成要素。又は、当該構成要素と請求項８記載の載置具とのセット。
【請求項１５】
請求項８記載のキャラクター形状容器Ａ等において、当該キャラクター形状容器Ａ等に、利用者の気分状態を代弁させるため、当該キャラクター形状容器Ａ等の一部の形状を変化させて、当該キャラクター形状容器Ａ等の表情を変化させることができ、種々の表情が表現できる表情可変部を有する請求項８記載のキャラクター形状容器Ａ等、又は、当該キャラクター形状容器Ａ等と請求項８記載の載置具とのセット。
【請求項１６】
請求項８記載の載置具において、当該載置具に、利用者の所持する携帯電話を着脱自在
2013009957.tif 000004
記載の載置具。
【発明の詳細な説明】
【技術分野】
【０００１】本発明は、底部に接触固定機能を有する容器等と、載置・収納機能を有する載置具及び両者のセットからなるハードと、これらのハードに多様なソフトを組み合わせることにより、ゲームやパズルとは異なった種類の体験ができ、日常生活において手軽に快適な感覚（五感）や感情（心）の刺激が得られる生活用具に関する。
【背景技術】
【０００２】現代人は、モノよりサービス、モノにおいては、ハード（機器）よりソフト（使用方法）に価値を感じる傾向にある。【０００３】また、モノやサービスから得られる実用的価値（例えば便利さ、安さ）よりも、むしろモノやサービスから受容又は感応する感覚（五感）や感情（心）の快適な刺激（例えば楽しさ、癒し）を重視するソフト化志向が進行している。【０００４】従来、ハードとソフトの組み合わせからなる用具としてはゲームやパズルなどの遊具があるが、これらの遊具を用いた遊技は、勝敗競争や難問解決など目的が明確で、勝敗や難問解決の結果と目的達成までのプロセス、スピード、スキル、スリルを楽しむものが主流である。【０００５】本発明に関し、使用目的、ハード、ソフトにおいて類似する先行技術を知らない。
敢えて先行技術に言及すれば、底部に磁性を有する碁石や将棋などの駒と薄い鉄板を張った遊具盤から構成され、これらは磁気的吸引力の作用により着脱自在な固着状態を保持し、意図しない振動等の負荷による碁石や駒の移動を阻止し、勝敗を楽しむ携帯囲碁・将棋などのゲームがある。
【先行技術文献】
【０００６】
【特許文献１】特開２０１０−１６７２３４公報
【発明の概要】
【発明が解決しようとする課題】
【０００７】ゲームは、勝つか負けるか、又、パズルは出来るか出来ないかの二者択一の結果からなり、ゲームは勝った時の快感、パズルは出来た時の達成感を満喫する遊技である。【０００８】しかし、最近のゲームやパズルは、ハードが高度で複雑、ソフトに難しいルールがあり、ルールを理解するまでに時間を要すると共に相応のスキルがないと十分楽しめないものが多い。これらの課題に鑑み、本発明の目的は簡単なハードと多様なソフトの組み合わせにより、二者択一の結果ではなく、個性や感性の違いに応じた結果の多様性と、プレイを通じてゲームやパズルとは異なった種類の体験と快適な感覚や感情の刺激が得られ、日常生活において感覚（五感）や感情（心）を豊かにする用具、即ち、生活のソフト化（官能と情緒を重視した生活の構築）に寄与する用具（生活用具）を実現することである。
【課題を解決するための手段】
【０００９】これらの課題を解決する手段として、底部に接触固定機能を有する容器等と、載置・収納機能を有する載置具及び両者のセットからなるハードと、これらのハードに多様なソフトを組み合わせた生活用具を実現することである。【００１０】以下、本発明に係わるキャラクター形状容器Ａ等と、これらの載置具及び両者のセットからなるハードの具体的要件を提示し、ソフトに関しては実施例において説明する。【００１１】上記課題を解決するための第１の発明は、上部に開閉可能な密閉構造を有する容器であって、当該容器は、容器の載置具の接触固定面に接触固定するため、当該容器の底部に、前記載置具の接触固定面と着脱自在な第１の接触固定機能が設置され、前記密閉構造を介して、当該容器内部に生活用品の収容が可能な空間を有する、動物のキャラククーなどの形状からなる容器。（キャラクター形状容器Ａ）である。【００１２】本発明は、
１．  上部に開閉可能な密閉構造（生活用品を構成する液体・固体の漏出防止及び、取り      入れ、取り出し）
２．  容器の底部に第１の接触固定機構の設置（容器の載置具の接触固定面と着脱自在な      接触固定強度を保持し、接触固定面上でのキャラクター形状容器Ａの転倒防止）
３．  生活用品（味覚、香り、お洒落など）
４．  収容が可能な空間（生活用品の収容、収納、保管）
５．  動物のキャラクターなどの形状（観賞）、の構造と機能を有するキャラクター形状      容器Ａに関する。
「密閉構造」とは、容器の内部に収容された生活用品を構成する液体・固体の漏出を防ぎ、容器の内部との生活用品の出し入れができる構造を意味し、例えば、蓋、キャップなどが該当する。
「上部に」とは、容器を置く際に上となる部分であり、「容器の底部」とは容器を置く際に底となる部分であり、キャラクター形状容器Ａを接触固定面に置く際に接触固定面と接触する部分である。
「容器の載置具」とは、本発明に係わるキャラクター形状容器Ａを着脱自在な状態で接触固定させる接触固定面を有する載置具である。
「第１の接触固定機構」とは、キャラクター形状容器Ａの載置具の接触固定面に接触固定をし、着脱自在に接触固定するキャラクター形状容器Ａの底部に設置された部材又は構造を意味する。
接触固定する部材又は構造の例として、磁石、鉄板、吸盤、面ファスナー、はめ込み部材、両面テープなどが該当する。
第１の接触固定機構は、キャラクター形状容器Ａの載置具の接触固定面に接触固定するための接触強度を保持しつつ、キャラクター形状容器Ａの載置具の接触固定面と着脱自在であり、キャラクター形状容器Ａの転倒を防止する。
「接触固定面」は、第１の接触固定機構により本発明に係わるキャラクター形状容器Ａの底部を接触固定する面であって、第１の接触固定機構と着脱自在な例えば、キャラクター形状容器Ａの磁石と逆の極の磁石又は鉄板、キャラクター形状容器Ａの吸盤が吸着しやすい面、キャラクター形状容器Ａのはめ込み部材をはめ込むための部材が載置された面などが該当する。
「容器の底部に、第１の接触機構が設置され」とは、キャラクター形状容器Ａの底の部分に第１の接触固定機構を有するという意味であり、キャラクター形状容器Ａの底の部分が第１の接触固定機構である場合に限られず、キャラクター形状容器Ａの底の部分の内部にマグネットを内蔵させるような場合も含まれる。
「容器内部に生活用品の収容」には、容器内部に直接生活用品を収容することだけではなく、生活用品を収容したビンなどの容器を収容した場合（間接的に生活用品を収容すること）も含まれる。
「生活用品」とは、化粧品、香料類、香水、薬剤、栄養補助食品（サプリメント）、紙類（メモ用紙など）、おもちゃ、菓子類、調味料、香辛料、嗜好品（酒類、茶類、コーヒー、タバコなど）及びこれらの組み合わせに限定する。
又、「動物のキャラクターなどの形状からなる容器」とは、容器の全体又は一部が動物のキャラクター、イラスト、アニメ、漫画のキャラクターから構成され、又は、容器の外部表面の全体又は一部にこれらが描写されている容器と定める。【００１３】本発明により、開閉可能な密閉構造を介して、キャラクター形状容器Ａの内部に、化粧品などの生活用品を直接的又は間接的に収容することができる。
更に、キャラクター形状容器Ａの底部は、キャラクター形状容器Ａの載置具の接触固定面と着脱自在な第１の接触固定機構を有するため、密閉構造で密閉した収態で載置具の接触固定面に安定して載置することができる。
これにより、キャラクター形状容器Ａ内部に生活用品を収容した状態で、載置具の接触固定面に着脱自在にキャラクター形状容器Ａを載置することができ、転倒防止につながる。又、動物のキャラクターなどの形状を有するため観賞が期待できる。【００１４】上記課題を解決するための第２の発明は、請求項１記載のキャラクター形状容器Ａにおいて、当該キャラクター形状容器Ａの底部以外の外部表面の一部に第２の接触固定機構の設置が付加されたキャラクター形状容器Ａ。（キャラクター形状容器Ｂ）である。【００１５】本発明は、
請求項１記載のキャラクター形状容器Ａの構造と機能を有し、更に当該キャラクター形状容器Ａの底部以外の外部表面の一部に第２の接触固定機構の設置（接触固定機構を有する他の容器、構造物の装着）、の構造と機能を有するキャラクター形状容器Ｂに関する発明である。
「底部以外の外部表面の一部に」とは、キャラクター形状容器Ｂの底部には第１の接触固定機構が設置されるため、底部以外の外部表面の一部とした。
「第２の接触固定機構」とは、キャラクター形状容器Ｂの底部に設置された第１の接触固定機構と部材及び構造とは関係なく、設置位置の違いによる区別である。
「設置」とは、底部以外の外部表面の一部と第２の接触固定機構を接着、嵌め込み等により固定することを意味する。【００１６】本発明により、［００１３］に記載した効果を有すると共に、接触固定機構を有する他の容器、構造物と着脱自在に装着できるため、バラエティーに富んだ観賞が期待できる。【００１７】上記課題を解決するための第３の発明は、動物のキャラクターなどの形状からなり、容器以外の立体形状物であって、当該立体形状物の載置具の接触固定面に接触固定するため、当該立体形状物の底部に、前記載置具の接触固定面と着脱自在な第１の接触固定機構が設置された立体形状物（キャラククー形状物Ａ）において、当該立体形状物の底部以外の外部表面の一部に第２の接触固定機構の設置が付加されたキャラクター形状物Ａ。（キャラクター形状物Ｂ）に関する発明である。【００１８】本発明は
１．  容器以外の立体形状物の底部に第１の接触固定機構の設置（載置具の接触固定面と      着脱自在な接触強度を保持し、接触固定面上でのキャラクター形状物Ｂの転倒防止      ）
２．  外部表面の一部に第２の接触固定機構の設置（接触固定機構を有する他の容器、構      造物と着脱自在な装着）
３．  動物のキャラクターなどの形状（観賞）、の構造と機能を有するキャラクター形状      物Ｂに関する。
「キャラクター形状物Ａ」とは、動物のキャラクターなどの形状を有する、容器以外の構造物であって、当該構造物の底部に接触固定機構を有する部材、構造が配置され、載置具の接触固定面と着脱自在な接触強度を有する構造物。
「キャラクター形状物Ｂ」とは、キャラクター形状物Ａの底部以外の外部表面の一部に接触固定機構を有する部材、構造が配置され、接触固定機能を有する他の容器、構造物と着脱自在な接触強度を有する構造物。【００１９】本発明により、キャラクター形状物Ｂは、キャラクター形状容器Ｂに比較して、密閉構造及び生活用品の収納構造が無いため、設計の自由度が向上し、複雑な構造物が作製でき、また、板状にできるため小型、軽量化、高精度化、低価格化が可能となる。
又、容器の機能は、第２の接触固定機構を通じて付加すればよい。
その結果、舞台上に多数のプレイヤーが参加でき、バラエティーに富んだ観賞効果が期待できる。【００２０】上記課題を解決するための第４の発明は、請求項３記載のキャラクター形状物Ｂと開閉可能な密閉構造を有する容器であって、当該密閉構造を介して、内部に生活用品の収容が可能な空間を有する容器（容器Ａ）とに、おいて、前記キャラクター形状物Ｂの第２の接触固定機構、と、当該容器の第３の接触固定機構の設置が付加された容器（容器Ｂ）の第３の接触固定機構が着脱自在に装着される容器Ｂ装着型キャラクター形状物Ｂ、又は、請求項３記載のキャラクター形状物Ａの一部と容器Ａの一部が、固定設置される容器Ａ設置型キャラクター形状物Ａに関する。【００２１】本発明は、
容器Ｂ装着型キャラクター形状物Ｂと容器Ａ設置型キャラクター形状物Ａに関する。
容器Ｂ装着型キャラクター形状物Ｂは、請求項３記載のキャラクター形状物Ｂの構造と機能［００１８］、容器Ｂの構造と機能及びキャラクター形状物Ｂに第２の接触固定機構、容器Ｂに第３の接触固定機構を着脱自在に設置（両者の取り付け、取り外し自在）の構造と機能を有する。
又、容器Ａ設置型キャラクター形状物Ａは、請求項１記載のキャラクター形状容器Ａの構造と機能［００１２］から１、３、４の構造と機能を除いたもの、容器Ａの構造と機能及びキャラクター形状物Ａと容器Ａの固定設置又は一体化（単体による紛失防止）の構造と機能を有する。
「容器Ａ」とは、開閉可能な密閉構造を有し、内部に生活用品の液体・固体の収容可能な空間が存在する構造物。動物のキャラクターなどの形状からなる容器も含む。
「容器Ｂ」とは、容器Ａに第３の接触固定機構が設置され、キャラクター形状物Ｂの第２の接触固定機構と着脱自在に装着可能な容器。
「第３の接触固定機構」とは、容器Ｂに設置され、キャラクター形状物の底部以外に設置された第２の接触固定機構と着脱自在な部材又は構造を意味する。
「容器Ｂ装着型キャラクター形状物Ｂ」とは、容器Ｂに設置された第３の接触固定機構とキャラクター形状物Ｂに設置された第２の接触固定機構が着脱自在に装着された構造物。
「容器Ａ設置型キャラクター形状物Ａ」とは、容器Ａとキャラクター形状物Ａが固定設置又は一体化された構造物。【００２２】本発明により、容器Ｂ装着型キャラクター形状物Ｂにおいては、各自所有のキャラクター形状物Ｂから容器Ｂを取り外し交換でき、情報交換ツールとして利用できる。
又、容器Ａ設置型キャラクター形状物Ａにおいては、容器Ａとキャラクター形状物Ａが固定設置されているため、どちらか一方の紛失が防止できる。
その他、キャラクター形状物Ａ、Ｂ共にキャラクター形状容器Ａ、Ｂに比較して、密閉構造と生活用品の収容機能がないため、設計の自由度が向上し、複雑な構造物が作製でき、又、小型、軽量化、高精度化が可能となる。【００２３】上記課題を解決するための第５の発明は、
上部に開閉可能な密閉構造を有する容器であって、当該容器は、容器の載置具の接触固定面に接触固定するため、当該容器の底部に、前記載置具の接触固定面と着脱自在な第１の接触固定機構が設置され、前記密閉構造を介して、内部に生活用品の収容が可能な空間を有する容器（容器Ｃ）と、動物のキャラクターなどの形状からなる立体形状物（キャラクター構造物Ａ）とに、おいて、前記容器の底部以外の外部表面の一部に、第２の接触固定機構の設置が付加された容器（容器Ｄ）の第２の接触固定機構、と、当該立体形状物に第３の接触固定機構の設置が付加された立体形状物（キャラクター構造物Ｂ）の第３の接触固定機構が、着脱自在に装着されるキャラクター構造物Ｂ装着型容器Ｄ、又は、容器Ｃの一部とキャラクター構造物Ａの一部が、固定設置されるキャラクター構造物Ａ設置型容器Ｃである。【００２４】本発明は、キャラクター構造物Ｂ装着型容器Ｄとキャラクター構造物Ａ設置型容器Ｃに関する。
キャラクター構造物Ｂ装着型容器Ｄは、容器Ｄとキャラクター構造物Ｂの構造と機能及び容器Ｄの第２の接触固定機構とキャラクター構造物の第３の接触固定機構が着脱自在に設置（両者の取り付け、取り外し自在）の構造と機能を有する。
又、キャラクター構造物Ａ設置型容器Ｃは、容器Ｃとキャラクター構造物Ａの構造と機能及び容器Ｃとキャラクター構造物Ａの固定設置又は一体化（単体による紛失の防止）の構造と機能を有する。
「容器Ｃ」とは、開閉可能な密閉構造を有し、底部に第１の接触固定機構が設置され、内部に生活用品の液体・固体の収容可能な空間が存在する構造物。動物のキャラクターなどの形状からなる容器（請求項１記載のキャラクター形状容器Ａ）を含む。
「容器Ｄ」とは、容器Ｃ（請求項１記載のキャラクター形状容器Ａを含む）の底部以外の外部表面の一部に第２の接触固定機構が設置された構造物。
「キャラクター構造物Ａ」とは、動物のキャラクターなどの形状からなる立体形状物。
「キャラクター構造物Ｂ」とは、キャラクター構造物Ａに第３の接触固定機構が設置された立体形状物。
「キャラクター構造物Ｂ装着型容器Ｄ」とは、容器Ｄに設置された第２の接触固定機構とキャラクター構造物Ｂに設置された第３の接触固定機構が着脱自在に装着される構造物。
「キャラクター構造物Ａ設置型容器Ｃ」とは、キャラクター構造物Ａと容器Ｃが固定設置又は一体化された構造物。【００２５】本発明により、キャラクター構造物Ｂ装着型容器Ｄにおいては、容器Ｄとキャラクター構造物Ｂは着脱自在なため、いろいろな容器と構造物の組み合わせが考えられ、気分やＴＰＯに応じた組み合わせができ、気分転換と観賞が期待できる。
又、キャラクター構造物Ａ設置型容器Ｃにおいては、容器と構造物が固定設置又は一体化形成しているため、両者の単独な紛失が防止できる。【００２６】キャラクター形状容器、キャラクター形状物、キャラクター構造物の構造の違いを簡単に記すと、キャラクター形状容器は、上部に開閉可能な密閉構造、底部に載置具の接触固定面と着脱自在に接触固定する接触固定機構、内部に生活用品の収容可能な空間を有する動物のキャラクターなどの形状からなる容器である。
キャラクター形状物は、底部に載置具の接触固定面と着脱自在に接触固定する接触固定機構を有する動物のキャラクターなどの形状からなる構造物である。
キャラクター構造物は、動物のキャラクターなどの形状からなる構造物である。
要約すると、キャラクター形状容器から容器の構造を除いたものが、キャラクター形状物で、キャラクター形状物から底部の接触固定機構を除いたものがキャラクター構造物である。
又、キャラクター形状容器Ａとキャラクター形状容器Ｂ、キャラクター形状物Ａとキャラクター形状物Ｂ、容器Ｃと容器Ｄの構造の違いは、符号Ａ又はＣを有するものは、載置具の接触固定面と接触固定する第１の接触固定機構のみ存在し、符号Ｂ又はＤを有するものは第１の接触固定機構と第２の接触固定機構が存在する。
容器Ａ、容器Ｂ、容器Ｃ、容器Ｄの構造の違いは、容器Ａと容器Ｂは載置具と接触固定しないため、第１の接触固定機構が存在しない。容器Ｃと容器Ｄは第１の接触固定機構が存在する。
接触固定機構の符号１，２，３，４，５，６，７は、キャラクター形状容器やキャラクター形状物、載置具などにおける接触固定機構設置部位を示すもので、接触固定機構を構成する部材又は構造とは関係ない。【００２７】上記課題を解決するための第６の発明は、
請求項３記載のキャラクター形状物Ｂと請求項５記載のキャラクター構造物Ｂとに、おいて、前記キャラクター形状物Ｂの第２の接触固定機構、と、当該キャラクター構造物Ｂの第３の接触固定機構が、着脱自在に装着されるキャラクター構造物Ｂ装着型キャラクター形状物Ｂ、又は、請求項３記載のキャラクター形状物Ａの一部と請求項５記載のキャラクター構造物Ａの一部が、固定設置されるキャラクター構造物Ａ設置型キャラクター形状物Ａである。【００２８】本発明は、キャラクター構造物Ｂ装着型キャラクター形状物Ｂとキャラクター構造物Ａ設置型キャラクター形状物Ａに関する。
キャラクター構造物Ｂ装着型キャラクター形状物Ｂは、キャラクター形状物Ｂとキャラクター構造物Ｂの構造と機能及びキャラクター形状物Ｂの第２の接触固定機構とキャラクター構造物Ｂの第３の接触固定機構が着脱自在に設置（両者の取り付け、取り外し自在）の構造と機能を有する。
又、キャラクター構造物Ａ設置型キャラクター形状物Ａはキャラクター構造物Ａとキャラクター形状物Ａの構造と機能及び両者の固定設置又は一体化（単体による紛失防止）の構造と機能を有する。【００２９】本発明により、キャラクター構造物Ｂ装着型キャラクター形状物Ｂにおいては、両者が着脱自在に装着できるため、色々な組み合わせが考えられ、気分転換と観賞が期待できる。又、キャラクター構造物Ａ設置型キャラクター形状物Ａにおいては、両者が固定設置又は一体化形成しているため、両者の単独な紛失が防止できる。【００３０】上記課題を解決するための第７の発明は、
請求項２記載のキャラクター形状容器Ｂと請求項４記載の容器Ｂとにおいて、前記キャラクター形状容器Ｂの第２の接触固定機構、と、当該容器Ｂの第３の接触固定機構が、着脱自在に装着される容器Ｂ装着型キャラクター形状容器Ｂ、又は、請求項１記載のキャラクター形状容器Ａの一部と請求項４記載の容器Ａの一部が、固定設置される容器Ａ設置型キャラクター形状容器Ａである。【００３１】本発明は、容器Ｂ装着型キャラクター形状容器Ｂと容器Ａ設置型キャラクター形状容器Ａに関する。
容器Ｂ装着型キャラクター形状容器Ｂは、キャラクター形状容器Ｂと容器Ｂの構造と機能及びキャラクター形状容器Ｂの第２の接触固定機構と容器Ｂの第３の接触固定機構が着脱自在に設置（両者の取り付け、取り外し自在）の構造と機能を有する。
又、容器Ａ設置型キャラクター形状容器Ａは、キャラクター形状容器Ａと容器Ａの構造と機能及び容器Ａとキャラクター形状容器Ａの固定設置又は一体化（単体による紛失防止）の構造と機能を有する。【００３２】本発明により、容器Ｂ装着型キャラクター形状容器Ｂは、両者が着脱自在に装着できるため、いろいろな組み合わせが考えられ、気分転換と観賞が期待できる。
又、容器Ａ設置型キャラクター形状容器Ａは、両者が固定設置又は一体化形成しているため、両者の単独な紛失が防止できる。【００３３】上記課題を解決するための第８の発明は、請求項１記載のキャラクター形状容器Ａ、請求項２記載のキャラクター形状容器Ｂ、請求項３記載のキャラクター形状物Ａ、キャラクター形状物Ｂ、請求項４記載の容器Ｂ設置型キャラクター形状物Ｂ、容器Ａ設置型キャラクター形状物Ａ、請求項５記載の容器Ｃ、容器Ｄ、キャラクター構造物Ｂ装着型容器Ｄ、又は、キャラクターＡ構造物装着型容器Ｃ、請求項６記載のキャラクター構造物Ｂ装着型キャラクター形状物Ｂ、キャラクター構造物Ａ装着型キャラクター形状物Ａ、請求項７記載の容器Ｂ設置型キャラクター形状容器Ｂ、容器Ａ設置型キャラクター容器Ａ（キャラクター形状容器Ａ等）、の底部を接触固定するための接触固定面を上部面として有する前記キャラクター形状容器Ａ等の載置具であって、当該載置具の接触固定面は、前記キャラクター形状容器Ａ等の底部に設置された第１の接触固定機構と着脱自在な第４の接触固定機構を有し、前記接触固定面の大きさは、ＩＳＯ２１６規格によるＡ４規格（２１０ｍｍ×２９７ｍｍ）以下であり、前記キャラクター形状容器Ａ等の載置具の内部に、構成要素を収納する空間を有し、前記キャラクター形状容器Ａ等の載置具の接触固定面の縁の内側に、当該キャラクター形状容器Ａ等を載置する範囲を規定する境界が設置されたキャラクター形状容器Ａ等の載置と収納機能を有する載置具である。【００３４】本発明は
１．  接触固定面を上部面（キャラクター形状容器Ａ等を着脱自在に接触固定）
２．  着脱自在な第４の接触固定機構（キャラクター形状容器Ａ等の底部の第１の接触固      定機構と着脱自在な接触強度を保持し、接触固定面上での転倒防止）
３．  接触固定面の縁の内側にキャラクター形状容器Ａ等を載置する範囲を規定する境界      の設置（舞台の範囲指定、キャラクター形状容器Ａ等の心理的落下抑止）
４．  接触固定面の大きさはＡ４規格以下（載置具の携帯性確保）
５．  収納する空間（構成要素の収容、収納、保管）の、構造と機能を有するキャラクタ      ー形状容器Ａ等の載置具に関する。
「キャラクター形状容器Ａ等」とは、請求項１記載のキャラクター形状容器Ａ、請求項２記載のキャラクター形状容器Ｂ、請求項３記載のキャラクター形状物Ａ、キャラクター形状物Ｂ、請求項４記載の容器Ｂ設置型キャラクター形状物Ｂ、容器Ａ設置型キャラクター形状物Ａ、請求項５記載の容器Ｃ、容器Ｄ、キャラクター構造物Ｂ装着型容器Ｄ、又は、キャラクター構造物Ａ装着型容器Ｃ、請求項６記載のキャラクター構造物Ｂ装着型キャラクター形状物Ｂ、キャラクター構造物Ａ装着型キャラクター形状物Ａ、請求項７記載の容器Ｂ設置型キャラクター形状容器Ｂ、容器Ａ設置型キャラクター形状容器Ａの全て又は、一部を指示する。
「構成要素」とは、キャラクター形状容器Ａ等に請求項４記載の容器Ｂ、及び、請求項５記載のキャラクター構造物Ｂを追加したものの全て又は一部を指示する。
「接触固定面を上部面として有する」とは、キャラクター形状容器Ａ等の載置具を置く際に上となる部分の面として接触固定面が存在することを意味する。
「第４の接触固定機構」とは、キャラクター形状容器Ａ等の底部に設置された第１の接触固定機構と着脱自在に載置具の接触固定面に設置された部材又は構造を意味する。
「キャラクター形状容器Ａ等の載置具の接触固定面」は、必ずしも完全な平面である必要はなく、例えばキャラクター形状容器Ａ等の嵌め込み部材を嵌め込むための部材が接触固定面に存在しても構わない。
「接触固定面の大きさは、ＩＳＯ２１６規格によるＡ４以下」とは、接触固定面が縦横共にＡ４以下の大きさに収まることを意味し、本発明に係わる載置具が普通のバッグ等に収まる携帯サイズの部品であることを意味する。
「キャラクター形状容器Ａ等の載置具の接触固定面の縁の内側」とは、接触固定面の端から３ｃｍ以内の部分とする。
「キャラクター形状容器Ａ等を載置する範囲を規定する境界」とは、キャラクター形状容器Ａ等を載置する舞台の範囲を規定する境界として、境界線、段差、壁などを設置することを意味する。
境界線などを設置することにより、舞台の範囲の明確化（境界の内部を舞台に設定）及びキャラクター形状容器Ａ等の落下に対する心理的抑止力を作用させることである。【００３５】本発明により、
１．  キャラクター形状容器Ａ等の底部に設置された第１の接触固定機構と載置具の接触      固定面に設置された第４の接触固定機構が着脱自在であり、キャラクター形状容器      Ａ等を載置具の接触固定面に着脱自在に載置することができる。（載置機能）
２．  載置具は内部に構成要素を収納する空間を保有しているため、これらの収容、収納      、保管ができる。（収容、収納、保管機能）
３．  載置具の接触固定面の縁の内側に境界が設置され、キャラクター形状容器Ａ等の演      出する舞台が形成できる。（舞台機能）
４．  載置具の接触固定面はＡ４以下の平面であるため、バッグ等に入れ、携帯して持ち      運ぶことが可能である。（携帯機能）【００３６】上記課題を解決するための第９の発明は、
請求項８記載のキャラクター形状容器Ａ等と載置具とのセットからなる生活用具である。【００３７】本発明は、キャラクター形状容器Ａ等の載置、収納、転倒防止、携帯、保管、舞台、味覚、観賞などの機能を有するキャラクター形状容器Ａ等と載置具とのセットからなる生活用具に関する発明である。【００３８】本発明は、キャラクター形状容器Ａ等と載置具とのセットからなるハードに、多様なソフトを付加することにより、日常生活において感覚（五感）や感情（心）を豊かにする生活用具の実現が可能となる。
本発明の生活用具の主な用途を列挙すると、携帯アクセサリー、癒し、熟年女性の人生懐古、情報共有化ツール、幼児の知的情緒教育などがある。
又、本発明を構成するキャラクター形状容器Ａ等と載置具及びこれらからなるセット（ハード）において、利用者が目的（例えば携帯アクセサリーの作製）を設定し、利用者自身の個性や感性に応じた想像力の発揮と作製する過程（想像・作製過程）と、想像・作製した結果（創作物）の出来栄えに対する満足感を享受する過程（評価過程）が有り、一度に２回の体験が満喫できる生活用具である。
例えば、食事環境において、キャラクター形状容器Ａ等と載置具からなるセット（ハード）をバッグ等から取り出し、お洒落な携帯アクセサリーの作製を目的として、複数のキャラクター形状容器Ａ等の要素の舞台上での載置位置を想像・工夫し、試行錯誤しながら選択配置（作成）を決定する過程を経て、完成した創作物（携帯アクセサリー）をテーブル上に配置する。
即ち、キャラクター形状容器Ａ等の要素の舞台上への選択配置（作成）する過程と、携帯アクセサリー（創作物）を机上に配置してお洒落を満喫する過程（魅せる悦び）の２回の体験が得られる生活用具が実現できる。（実施例１参照）【００３９】上記課題を解決するための第１０の発明は、請求項８記載の構成要素と載置具とのセットであって、前記構成要素と当該載置具の内部の仕切り板により間仕切りされた各構成要素の収納部との位置関係が、一つの組として構成され、識別表示記載された組が、複数存在する請求項８記載の構成要素と載置具とのセットである。
「識別表示」とは、例えば、構成要素の色と載置具内部の収納部の一部の色の統一（同色による識別）、構成要素の表面に印刷した番号と収納部に印刷した番号の一致（同番号による識別）等により、構成要素と収納部の位置関係を見分けるための表示である。
この識別表示により、載置具内部の収納部のどの位置に、どの構成要素を収納するか、載置具セットの利用者が認識でき、説明書が無くとも容易に構成要素の収納ができる。
「識別表示記載された組」とは、構成要素と載置具内部の収納部とにそれぞれに対応する様に識別表示記載がされることで一組とした場合の各組を意味する。【００４０】本発明により、載置具内部の収納部のどの位置に、どの構成要素を収納するか、載置具セットの利用者が認識でき、説明書が無くても所定の位置に収納できる。
又、多数の構成要素をこれらの載置具に収納する際に、
１．  確実に正確に収納できる。
２．  収納の位置関係が明確なため、収納時間が短くて済む。
３．  収納時、紛失物がその場で判る、などの利点がある。【００４１】上記課題を解決するための第１１の発明は、
請求項８記載の構成要素と載置具とのセットであって、前記構成要素の底部に設置された第１の接触固定機構又は外部表面に設置された第２の接触固定機構の磁石と、当該載置具の前記構成要素の収納部の内部に設置された第５の接触固定機構の鉄粉などの強磁性体材料の粉末が充填されたプラスチック樹脂から組み合わせから構成され、両者は磁気的吸引力により着脱自在に装着され、又、当該載置具内の前記構成要素の収納部は、予め指定され、前記構成要素と当該載置具内の前記構成要素の収納部との位置関係は、一つの組として構成され、識別表示記載された組が複数存在する請求項８記載の構成要素と載置具とのセットである。【００４２】本発明は、
構成要素に設置された第１の接触固定機構と第２の接触固定機構の材質、載置具の構成要素の収納部に設置された第５の接触固定機構の材質及び構成要素と載置具内の構成要素の収納部の位置関係の識別表示に関する。
「磁石」とは、フェライト磁石、金属磁石、ゴム磁石、サマリウム・コバルトなどのレアアース含有磁石を指示する。
「鉄粉などの強磁性体材料の粉末が充填されたプラスチック樹脂」とは、ＰＰ、ＰＥなどのプラスチック樹脂に鉄、ニッケル、コバルトなどの粉末を必要な接触強度に合わせ、充填量を調整した強磁性体粉末材料混合樹脂。載置具全体を成型により作製する場合と収納部表面に印刷により厚膜形成する場合がある。【００４３】本発明により、［００４０］に記載した利点の他に、載置具の内部にある仕切り板が不要、又、載置具全体を当該プラスチック樹脂で成型することにより、載置具の第４の接触固定機構と第５の接触固定機構が一度に作製でき、コスト低減が期待できる。【００４４】上記課題を解決するための第１２の発明は、
請求項１から請求項８記載のキャラクター形状容器Ａ等に設置された接触固定機構において、請求項１記載のキャラクター形状容器Ａ、請求項２記載のキャラクター形状容器Ｂ、請求項３記載のキャラクター形状物Ａ、キャラクター形状物Ｂ、請求項５記載の容器Ｃ、容器Ｄ、の底部に設置された第１の接触固定機構と請求項８記載の載置具の接触固定面に設置された第４の接触固定機構、及び、請求項３記載のキャラクター形状物Ｂと請求項４記載の容器Ｂ、請求項５記載の容器Ｄとキャラクター構造物Ｂ、請求項６記載のキャラクター形状物Ｂとキャラクター構造物Ｂ、請求項７記載のキャラクター形状容器Ｂと容器Ｂの各々に設置された第２、第３の接触固定機構が、磁石と鉄粉などの強磁性材料の粉末が充填されたプラスチック樹脂、紙又は、陶磁器との組み合わせからなる着脱自在な接触強度を有する接触固定機構である。【００４５】本発明は、
キャラクター形状容器Ａ等に設置された第１の接触固定機構と載置具の接触固定面に設置された第４の接触固定機構及び、第２、第３の接触固定機構の材質の組み合わせと接触強度に関する。
接触固定機構同士の接触強度は、磁石の磁力と形状及び、鉄粉などの強磁性材料の粉末が充填されたプラスチック樹脂、紙又は陶磁器の形状要因（接触面積、厚みなど）と充填粉末材料の材質と量により決定する。接触強度の調整は、磁石の種類とプラスチック樹脂等の形状要因と充填粉末材料の材質と量により実施される。
「着脱自在な接触強度」とは、第１、第４の接触固定機構及び第２、第３の接触固定機構の着脱自在な接触強度は、０．０１Ｎから５Ｎの範囲とする。【００４６】本発明により、磁石と鉄粉などの強磁性材料の粉末が充填されたプラスチック樹脂等の組み合わせにより、容易に必要な接触強度が得られる。【００４７】上記課題を解決するための第１３の発明は
請求項８記載のキャラクター形状容器Ａ等において、当該キャラクター形状容器Ａ等の外部表面の一部と利用者の気分状態を表わす気分情報表現部品が固定設置、又は、前記キャラクター形状容器Ａ等の外部表面の一部に設置された第６の接触固定機構と当該気分情報表現部品の外部表面に設置された第７の接触固定機構が、着脱自在に装着可能な構造を有する請求項８記載のキャラクター形状容器Ａ等。又は、キャラクター形状容器Ａ等と気分情報表現部品とのセットである。【００４８】本発明は、キャラクター形状容器Ａ等の外部表面の一部に、利用者の気分状態を表す気分情報表現部品を固定設置、又は、接触固定機構を介して着脱自在に装着する構造を有するキャラクター形状容器Ａ等、又は当該キャラクター形状容器Ａ等と気分情報表現部品とのセットに関する。
キャラクター形状容器Ａ等の外部表面の一部に設置、又は装着された気分情報表現部品の記載内容により、利用者の現在の気分状態の把握が可能である。
「利用者の気分状態を表わす気分情報表現部品」とは、利用者の気分状態を表現する文字、記号、絵、マーク等で、例えば、利用者の気分状態をＧＲＥＡＴ（最高）、ＧＯＯＤ（良好）、ＮＯＴ  ＢＡＤ（普通）、ＢＡＤ（悪い）、ＴＥＲＲＩＢＬＥ（最悪）、ＳＥＣＲＥＴ（秘密）の６ランクと、ＮＯ  ＣＯＭＭＥＮＴ（無視）の合計７ヶに区分けして、その内容が表示されたチップ、シールなどが該当する。
「固定設置」とは、例えば、キャラクター形状容器Ａ等の外部表面の一部に小さな隙間を２ヶ所開け、異なった内容の気分情報を連続して記載した薄い短冊を挟み込む。気分情報を表示する場合は短冊をスライドさせ、気分状態に合致した内容を選択表示する方法などがある。
「第６の接触固定機構」とは、キャラクター形状容器Ａ等の外部表面の一部に設置された磁石など、又、「第７の接触固定機構」とは、気分情報表現部品の外部表面に設置された対極の磁石、鉄板などを意味する。【００４９】キャラクター形状容器Ａ等の外部表面の一部に気分情報が記載されたチップ、シールなどが装着されることにより、利用者の現在の気分の状態の代弁と周辺への伝達が可能となる。【００５０】上記課題を解決するための第１４の発明は、
請求項８記載の構成要素において、当該構成要素の収納空間の効率的利用等を図るため、当該構成要素の一部の形状を変化させることができる形状可変部を有する請求項８記載の構成要素。又は、当該構成要素と請求項８記載の載置具とのセットである。【００５１】本発明は請求項８記載の構成要素の一部に形状可変な構造又は形状可変な機能を有する構成要素に関する。
構成要素の形状可変部の屈曲、伸縮、着脱などにより、形状の可変が可能である。
「形状可変部」は屈曲性、伸縮性を有する金属、プラスチック樹脂などからなるバー、チューブ、フレキシブルチューブの部材又は着脱自在な磁石、面ファスナーなどで構成される。
形状可変部の設置により屈曲、伸縮、着脱が簡単に行うことができ、構成要素の一部の形状を変化させることができる。【００５２】構成要素の一部の形状の変化ができるため収納・保管時は小さく、舞台搭載時は大きく形状の調整ができ、収納スペースの効率的利用、舞台効果のアップが期待でき、又、携帯に便利である。【００５３】上記課題を解決するための第１５の発明は
請求項８記載のキャラクター形状容器Ａ等において、当該キャラクター形状容器Ａ等に、利用者の気分状態を代弁させるため、当該キャラクター形状容器Ａ等の一部の形状を変化させて、当該キャラクター形状容器Ａ等の表情を変化させることができ、種々の表情が表現できる表情可変部を有する請求項８記載のキャラクター形状容器Ａ等、又は、当該キャラクター形状容器Ａ等と請求項８記載の載置具とのセットである。【００５４】本発明は、キャラクター形状容器Ａ等の顔面部の構成部  の部材の可変、可動構造とそれにともない種々の表情が表現できる機能を有するキャラクター形状容器Ａ等、又は当該キャラクター形状容器Ａ等と載置具とのセットに関する。キャラクター形状容器Ａ等における表情の違いの表現が可能である。
「表情可変部」とは、キャラクター形状容器Ａ等の顔面部を構成している、眼、眉、鼻、口の部分を指し、表情可変部の構成部材としては金属、プラスチックなどの材質からなる球又は屈曲性、伸縮性を有する形状可変なバー、チューブ、フレキシブルチューブなどを意味する。
顔面部を構成する眼や眉などの部材の一部に突起部を設置し、顔面部の対応部に設置した穴に嵌め込み、又は部材の一部に磁石を接着等により設置し、顔面部の対応部に形成された対極を有する磁石や鉄などの強磁性材料に着脱自在に接触固定させる。
表情可変部の部材は可動でき形状の変化が可能で意図した位置で穴の内周側壁と突起接触部の摩擦力、又は、磁気的吸引力により着脱自在に接触固定が保持される。
「当該キャラクター形状容器Ａ等の表情を変化させることができ、種々の表情が表現できる」とは、顔面部を構成する眼や眉などの部材が可動で形状を変化させることにより顔面部の表情の違いが表現可能であることを意味する。【００５５】キャラクター形状容器Ａ等の顔面部において、種々の表情が表現できることを通じて、利用者の現在の気分状態の代弁と周囲への伝達が可能となる。【００５６】上記課題を解決するための第１６の発明は
請求項８記載の載置具において、当該載置具に、利用者の所持する携帯電話を着脱自在に保持するため、当該載置具の外周部の一部に携帯電話取付具を設置する請求項８記載の載置具である。【００５７】本発明は、載置具の外周部の一部に、利用者の所持する携帯電話を着脱自在に保持するため、携帯電話取付具を設置した載置具に関する。
「携帯電話取付具」とは、金属又はプラスチック樹脂又は、その組み合わせからなる屈曲性又は伸縮性を有するチューブで、当該チューブの最上部にフックが設置され、当該フックに携帯電話に取り付けられたストラップの紐を掛け、携帯電話を着脱自在に立て掛け装着する取付具である。【００５８】載置具の外周部の一部に、携帯電話取付具を設置することにより、利用者が食事等において、誤って汁を溢した場合の携帯電話の汚損を軽減、又、携帯電話を載置具に保持するため、置き忘れが防止できる。
【発明の効果】
【００５９】キャラクター形状容器Ａ等と載置具及びこれらのセットからなるハードに多様なソフトを組み合わせることにより、ゲームやパズルとは異なった体験と快適な感覚や感情の刺激が得られ、日常生活を感覚的（五感）、感情的（心）に豊かにする生活用具の実現が期待できる。
【図面の簡単な説明】
【００６０】
【図１】実施例１の図（１）
【図２】実施例１の図（２）
【図３】実施例１の図（３）
【図４】実施例１の図（４）
【図５】実施例１の図（５）
【図６】実施例１の図（６）
【図７】実施例２の図（１）
【図８】実施例２の図（２）
【図９】実施例３の図（１）
【図１０】実施例３の図（２）
【図１１】実施例３の図（３）
【図１２】実施例４の図（１）
【図１３】実施例４の図（２）
【図１４】実施例５の図（１）
【図１５】実施例５の図（２）
【図１６】実施例５の図（３）
【図１７】実施例５の図（４）
【図１８】実施例５の図（５）
【図１９】実施例５の図（６）
【図２０】実施例５の図（７）
【発明を実施するための形態】
【００６１】以下本発明を実施するための形態として様々に応用した商品のうち５ヶの実施例について説明する。
【実施例１】
【００６２】１お洒落と味覚等を楽しむ生活用具
１．機器
実施例１の生活用具は、キャラクター形状容器Ｂのウサギ容器１、キャラクター形状容器ＡのドングリＳ容器１０、ドングリＡ容器２８，３ヶ、ドングリＢ容器２７，３ヶ、ドングリＣ容器２６，３ヶ、キャラクター形状物Ａのカメ１６、木２１、草２５、森２９、花３０及びキャラクター構造物Ｂのリボン２０、ブローチ３とこれらの載置具・収納箱２４からなるセット、１３種類、１９ヶの構成物からなり、ウサギ容器１にリボン２０、ブローチ３が着脱自在に装着された状態は、キャラクター構造物Ｂ装着型容器Ｄに該当する。
載置具・収納箱２４を除いた１８ヶの構成物の材質は、全てプラスチック樹脂で、リボン２０、ブローチ３を除いた１６ヶの構成物は、全て底部固定部に第１の接触固定機構が設置されており、舞台２３上でどこにでも自由に載置可能な可動物である。
図１のウサギ容器１は、ウサギの形状を有し、リボン設置部２、ブローチ３の設置部、香料内蔵部４、香料５、底部固定部６、磁石７、開閉部８、調整弁９、から構成されている。リボン設置部２、ブローチ３の設置部、底部固定部６には、磁石７が接着により固定設置されている。
図１はウサギ容器１にリボン２０及びブローチ３が、すでに設置されている状態を示している。
ウサギ容器１の略中央部には開閉部８が設けられ、嵌め合いにより開閉できる構造を有し、内部は香料内蔵部４の空間を持ち、香料５が内蔵されている。又、ウサギ容器１の背後に香料５の調整弁９が設置され、ネジ構造を有する調整弁９の開閉度合に応じて香気の量の調整が出来る様に工夫されている。
図２のドングリＳ容器１０は、ドングリ形状を有し、開閉部１１、内蔵部１２、内蔵されているラー油Ｓ１３、底部固定部１４及び磁石１５から構成されている。底部固定部１４と磁石１５は接着により固定設置されている。またドングリＳ容器１０の開閉部１１は、ネジ構造を有し、回転により自由に開閉が可能である。ドングリＳ容器１０を開口すると、内蔵部１２を有し、内蔵部１２にはメーカーＳが製造するラー油Ｓ１３が収容されている。
ドングリＡ容器２８、ドングリＢ容器２７、ドングリＣ容器２６は材質、形状、構造は同一であるが、容器表面が全て色違いになっている。
ドングリＳ容器１０はドングリＡ容器２８、ドングリＢ容器２７、ドングリＣ容器２６と材質、構造は同一であるが、色違いで形状は一回り大きくなっている。
またドングリＡ容器２８はラー油Ａ、ドングリＢ容器２７はラー油Ｂ、ドングリＣ容器２６はラー油Ｃとそれぞれメーカー、種類の異なったラー油が収容されている。
図３のカメ１６は、カメの形状を有し、首の部分の形状可変部１７、底部固定部１８、磁石１９から構成され、底部固定部１８と磁石１９は接着により固定設置されている。形状可変部１７は、伸縮自在で屈曲性を有するフレキシブルチューブ樹脂からなり、カメ１６の胴体への接続は、接着により固定設置されている。
カメ１６を舞台２３に載置する場合は、首を拡大することにより存在感を発揮させ、又載置具・収納箱２４に収納する場合は、首を縮小することにより省スペースを図る構造になっている。
木２１、草２５、森２９、花３０もカメ１６と形状は異なるが接触固定機構は同一で、底部固定部と磁石の接着により固定設置されている。
載置具・収納箱２４の材質は紙からなり、上部表面４６が楕円形状の筒状を呈し、上箱４７が下箱３２を包む嵌め合い構造を有し、簡単に開閉が可能である。
図６に示す様に上箱４７の上部表面４６には、薄板鉄板４８が接着により固定設置され、薄板鉄板４８の縁２２は、太線が印刷され、内側が舞台２３を形成している。
下箱３２の底部のウサギ容器１等の収納部は、ウサギ容器収納部３１、ブローチ収納部３５、ドングリＳ容器収納部３６、ドングリＡ容器収納部３７、ドングリＢ容器収納部３８、ドングリＣ容器収納部３９、リボン収納部４０、森収納部４１、カメ収納部４２、木収納部４３、花収納部４４、草収納部４５からなり、又下箱３２内部は、仕切り板３３により区分けされ、ウサギ容器１等は、それぞれの描画が表現されている領域に収納される。図５
２．使用方法
実施例１は、ウサギ容器１等のプレイヤーを載置具・収納箱２４の舞台２３上に種々の想像を発揮しながら配置する過程で、快適な感覚や感情の刺激が得られる生活用具である。
例えば、中華料理店などの食事環境において、テーブルに着席しバッグ等から載置具・収納箱２４を取り出し開口する。
載置具・収納箱２４の下箱３２を後側に、上箱４７を手前に置き、上箱４７は舞台２３の面を上に向けて載置する。
下箱３２の所定の位置からウサギ容器１、リボン２０、ブローチ３を取り出し、ウサギ容器１のリボン設置部２、ブローチ設置部に磁気的吸引力の作用により接触固定させる。又必要に応じて、ウサギ容器１の背後にある調整弁９を緩めて香気の量を好みに合わせる。
例えば、ウサギとカメの物語を想像しながら構想を練り、ウサギ容器１の舞台２３上での載置位置を決める。想像・構想過程
構想に従って順次、カメ１６、花３０、ドングリＳ容器１０などの可動物の載置位置を工夫しながら載置する。創作過程・図４
次に上箱４７と下箱３２を勘合し、ウサギ容器１等が載置された載置具・収納箱２４をテーブル左側手前に載置する。携帯アクセサリーの装飾過程
料理がテーブルに運ばれると、舞台２３から料理、好みにあったドングリ容器を取り、開閉部を開口して料理に添加してグルメを楽しむ。味覚の堪能過程
使用後のドングリ容器は元の場所に戻す。
気に入った創作物が完成した場合は、携帯電話で写真撮影する。記録過程
食事終了後、ウサギ容器１等を下箱３２の所定の位置に戻し、上箱４７と下箱３２を勘合し載置具・収納箱２４をバッグに収納する。
３．効果
実施例１の生活用具は、中華料理店などの食事環境において、好みの味を創作する味覚のドレスアップ、自己の視覚化を演出し魅せる悦びを享受するお洒落な携帯アクセサリー、想像・創作活動を通じて、ゆとり、ユーモア、好奇心を満喫する心の贅沢とストレス解消、すなわち、遊び心の満喫と癒し、暇潰しによる料理待ち時間の有効活用などの複合機能を有し、味わう食事から楽しむ食事への意識の転換が期待できる。
又、同一部品を使用しているにもかかわらず異なった創作物が作製できるため、個性が発揮される。
生活用具の使用過程においては、想像する楽しみ、創作する楽しみ、装飾する楽しみ、味覚の楽しみ、コミュニケーションの楽しみ、写真撮影する楽しみなど６個の楽しみが満喫できる。
【実施例２】
【００６３】２ちょっとした贅沢、癒し、寛ぎの一時を楽しむ生活用具
１．機器
実施例２の生活用具は、容器Ｄの樽Ａ４９、Ｂ、Ｃ、Ｄ、Ｅ、Ｓ、合計６樽とキャラクター構造物ＢのチップＡ５７、Ｂ、Ｃ、Ｄ、Ｅ、Ｆ、合計６チップとこれらの載置具・収納箱６５からなるセット及び、付帯品のウイスキーＡ、Ｂ、Ｃ、Ｄ、Ｅを内蔵した５種類の容器５０ｍｌのミニチュアボトルＡ５０、並びに６種類の小物の攪拌棒、グラス、コースター、ナプキン、紙皿、お手拭、で合計１４種類、２４個の構成物からなる。
樽にチップが着脱自在に装着された収態は、キャラクター構造物Ｂ装着型容器Ｄに該当する。
図７は、樽Ａ４９にチップＡ５７が装着され、内蔵部５２にミニチュアボトルＡ５０が内蔵されている状態を示している。
２４構成物の材質は、樽及び載置具・収納箱６５は３０％鉄粉充填プラスチック樹脂、チップはプラスチック樹脂、コースター、ナプキン、紙皿、お手拭は紙、又、ミニチュアボトル、攪拌棒、グラスはガラスからなり、可動物は樽である。
図７に示す樽Ａ４９はウイスキーを熟成する実物の樽のミニチュア形状を有し、チップの設置部５１、内蔵部５２、底部固定部５３、磁石５４、シール５９、開閉部６０、開閉部支点６１、蓋６２、取っ手６３、覗き窓６４から構成され、樽Ａ４９のシール５９を剥がし、取っ手６３を回すと、蓋６２は開閉部支点６１を回転中心として開閉部６０から開口し、内蔵部５２にはメーカーＡ製ウイスキーのミニチュアボトルＡ５０が収容されている。
また樽Ａ４９の背後には、覗き窓６４が設置され外からウイスキーの銘柄が確認出来る様になっている。
樽Ａ４９の胴体表面のチップの設置部５１は３０％鉄粉充填プラスチック樹脂から構成されるため、チップＡ５７の背面の一部に接着固定された磁石５５と着脱自在に接触固定が可能となる。
又、樽Ａ４９の底部固定部５３に設置された磁石５４と載置具・収納箱６５の上箱６７の上部表面７１上に形成された舞台７３の配置部６６とは載置具・収納箱６５の材質が３０％鉄粉充填プラスチック樹脂のため、着脱自在に接触固定が可能となる。
樽Ａ４９、Ｂ、Ｃ、Ｄ、Ｅは材質、形状、構造は全て同一、樽Ｓは覗き窓を除いてこれらと材質、構造は同一であるが形状は一回り大きく、又、樽Ａ４９から樽Ｓは胴体表面が全て色違いになっている。
樽Ｓには小物６種類が内蔵されている。
チップＡ５７からチップＦの６個のチップは全てウサギ形状を有し、顔面部５８の眉、鼻、口がフレキシブルチューブからなる表情可変部５６と背部の磁石５５から構成される。
チップの材質、形状、構造は全て同一であるが、表面は全て色違いになっている。
図８の載置具・収納箱６５は直方体形状を有し、上箱６７と下箱７０から構成される。上箱６７には縁６８、上部表面７１、舞台７３、配置部６６、又、下箱７０には側面に取っ手６９、内部には仕切り線７２が印刷されている。
舞台７３は上箱６７の上部表面７１の外周部に印刷された太線の縁６８の内側に設定されている。
下箱７０は側面中央部に設置された取っ手６９を手前にスライドさせる事により開口する。
６個の樽は、チップを装着した状態で下箱７０の底部に予め仕切り線７２で指定された範囲に樽の底部固定部に設置された磁石と底部の３０％鉄粉充填プラスチック樹脂に磁気的吸引力が作用し接触固定した状態で収納される。
２．使用方法
実施例２は仕事や勉強などの束縛から解放され、ちょっとした贅沢、癒し、寛ぎの世界に自己を埋没させ、日常生活に一瞬の潤いを与える生活用具の実現である。
自宅などの静かな環境において、載置具・収納箱６５の取っ手６９を手前に引き、下箱７０を開口し、樽Ａ４９、Ｂ、Ｃ、Ｄ、Ｅ、Ｓの６個の樽と６個のチップを取り出し、下箱７０を閉じる。
各樽の底部固定部に設置された磁石を上箱６７の上部表面７１の舞台７３上の配置部６６の好みの位置に接触固定させる。樽の位置を楽しむ
各チップの背面に設置された磁石を各樽の設置部に接触固定させる。
ウサギチップと樽の組み合わせの妙を楽しむ。
各ウサギチップの顔面部の眉、鼻、口を構成しているフレキシブルバーを形状調節して好みの表情に変える。表情の創作を楽しむ。
各樽の覗き窓からウイスキー銘柄を見て、飲みたいウイスキーを探し出す。
ウイスキーの選択を楽しむ。
次に樽のシールを剥がし、取っ手を回し、蓋を開けてウイスキーを取り出す。
樽Ｓに内蔵されているグラスを取り出し、ウイスキーを注ぎ豊かな時間を過ごす。
心豊かな時間を楽しむ。
ウイスキーを飲んだ後、ウサギチップの表情可変部の表情で美味しさを評価する。
最後に６個の樽と６個のチップを載置具・収納箱６５の所定の位置に収納する。
実施例２は５個のプロセスを楽しむ生活用具の実現である。
３．効果
ちょっとした心の贅沢、癒し、好奇心、寛ぎが体験できる。
好みのウイスキーにジャストフィットするまで好みのウイスキー探しの旅に挑戦できる。
チップの表情をいろいろ変換できるため玩具として楽しめる。
又、実用効果として、容量７００ｍｌのウイスキー１本の価格で５〜１０種類のウイスキーが購入できる。飲酒が計画的に楽しめ、飲み過ぎがセーブできる、などの複合効果が期待できる生活用具の実現である。
【実施例３】
【００６４】３熟年女性が自分の過去を振り返り懐かしむ生活用具
１．機器
実施例３の生活用具は、キャラクター形状物Ｂのウサギ形状物７４図９、容器Ｂの円筒容器８３、図１０と、載置具・収納箱とからなるセット及び付属品のチップ８８図１１から構成され、ウサギ形状物７４は、Ａ、Ｂ、Ｃ、Ｄ、Ｅ、Ｆ、Ｓの７個、円筒容器８３は、Ａ、Ｂ、Ｃ、Ｄ、Ｅ、Ｆ、Ｓの７個、載置具・収納箱１個、及びチップ８８はＡ、Ｂ、Ｃ、Ｄ、Ｅ、Ｆ、Ｓの７個、計４種類、２２構成物からなり、円筒容器８３がウサギ形状物７４に着脱自在に装着された状態は、容器Ｂ装着型キャラクター形状物Ｂに該当する。
ウサギ形状物７４及び載置具・収納箱の材質は３０％鉄粉充填プラスチック樹脂、又、チップ８８及び円筒容器８３の材質は、プラスチック樹脂からなり、可動物はウサギ形状物７４、７個である。
ウサギ形状物７４はウサギ形状を有する板で、前面部は、顔面部７５、チップ貼付部７６、胴体部７７、ステージ表示部７８、サプリメント名表示部８０、底部固定部８１、磁石８２、又、背面部は円筒容器装着部７９から構成される。
ウサギ形状物７４のＡ〜Ｆは、材質、形状、構造が全て同一、又、ウサギ形状物７４のＳは材質、構造は同一であるが、形状は一回り大きく、ウサギ形状物７４のＡ〜Ｓは、胴体部７７表面が全て色違いになっている。ウサギ形状物７４のＡ〜Ｓの顔面部７５は、全て円形状でウサギ形状物７４のＡ〜Ｆは全て同一形状、ウサギ形状物７４のＳは、他のウサギ形状物７４より一回り大きな円形状を有している。又、顔面部７５の略中央部の鼻の部分は、チップ貼付機能を有しており、チップ貼付部７６には、円形の領域が表示されている。
ウサギ形状物７４のＡ〜Ｓのステージ表示部７８には、各ステージ・世代に応じて、ウサギ形状物７４のＡには、誕生から幼児までの幼年期、以下、ウサギ形状物のＢ〜Ｓには、それぞれ、小学校から中学校までの少女期、高校から大学までの思春期、ＯＬ時代の青春期、活躍時代の壮年期、充実時代の円熟期、現在の熟年期と表示されている。又、ウサギ形状物７４のＡ〜Ｓの顔面７５には、それぞれのステージにおけるウサギの顔面が描かれている。ウサギ形状物７４のＡ〜Ｓのサプリメント名表示部８０には、熟年女性の美容と健康に必要なサプリメント名、例えば、ウサギ形状物７４のＡのサプリメント表示部８０には、グルコサミン、以下、ウサギ形状物７４のＢ〜Ｆのサプリメント表示部８０には、対応するサプリメント名が、又、ウサギ形状物７４のＳのサプリメント表示部８０には、治療薬と表示されている。
ウサギ形状物７４のＡ〜Ｓの底部固定部８１には磁石８２が接着により固定設置、又、背面の円形容器装着部７９には、円形の領域が印刷されている。
図１０の円筒容器８３は、円筒形状を有し、サプリメント名表示部８４、開閉部８６、内蔵部８７、ウサギ形状物装着部８５から構成され、円筒容器８３の表面のウサギ形状物装着部８５には、磁石が接着により固定設置され、又、開閉部８６はネジ構造を有し回転により自由に開閉でき、内蔵部８７にはサプリメント名表示部８４に記載されたサプリメントが収容されている。
円筒容器８３のＡ〜Ｆは、材質、形状、構造が全て同一、円筒容器８３のＳは材質、構造は、同一であるが形状は一回り大きい。ただサプリメント名表示部８４は全て異なったサプリメント名が記載され、内蔵部８７には、対応するサプリメントが収容されている。又、円筒容器８３の側面は、全て色違いになっている。
図１１のチップ８８は、円形を有し、表面は、写真貼付部９０、裏面の装着部８９には磁石が接着により固定設置されている。
チップ８８のＡ〜Ｓの面の大きさは、対応するウサギ形状物７４のＡ〜Ｓの顔面部７５の大きさに一致している。
ウサギ形状物７４のＡ〜Ｓの顔面部７５に各ステージにおける自己の写真を貼付する場合は各ステージにおける自己の写真をチップ８８の写真貼付部９０に糊付けし、磁石を接着固定設置した装着部８９をウサギ形状物７４の顔面部７５のチップ貼付部７６に接触させればよい。ウサギ形状物７４のＡの顔面部７５のチップ貼付部７６を構成する３０％鉄粉充填プラスチック樹脂と、チップ８８のＡの装着部８９に設置された磁石、及び、ウサギ形状物７４のＡの円筒容器装着部７９を構成する３０％鉄粉充填プラスチック樹脂と円筒容器８３のＡのウサギ形状物装着部８５に設置された磁石は、磁気吸引力の作用により着脱自在に装着される。即ち、ウサギ形状物７４のＡの場合は、チップ８８のＡ及び円筒容器８３のＡが、それぞれ対応する。以下、同様である。
載置具・収納箱は、載置具と収納箱の機能を有し、上箱と下箱から構成され、上箱は、上部表面が長方形の直方体形状を有し、上箱が下箱を包む嵌め合い構造で簡単に開閉が可能である。
上箱の上部表面は縁にピンクの太線が印刷され、内側が舞台を形成している。又、舞台を構成する３０％鉄粉充填プラスチック樹脂とウサギ形状物７４の底部固定部８１の磁石８２は磁気的吸引力の作用により着脱自在に装着が可能である。
下箱内部は、底部の仕切り線により区分けされ、ウサギ形状物７４、円筒容器８３、チップ８８は、それぞれの描画が印刷された領域に収納される。
２．使用方法
子育てが終了した熟年女性は、時間と経済的に比較的余裕が有り、しかも好奇心に富み、自由を楽しみたいと思う傾向にある。
美容と健康には関心があるが、体力が低下し、体調不良を感じる様になる。その結果、治療薬やサプリメントを併用しつつ、過去の自分を懐かしく思う傾向にある。
本発明は、治療薬やサプリメントを飲む度に、過去の自分を振り返り、懐かしく思うと同時に思い出に浸ることが出来、日常生活を感覚的、感情的に豊かにする生活用具の実現である。
自宅などの静かな環境において、テーブルに座り、載置具・収納箱を取り出し開口、下箱からウサギ形状物７４のＡ〜Ｓの７個、円筒容器８３のＡ〜Ｓの７個、チップ８８のＡ〜Ｓの７個を取り出す。円筒容器８３のＡ〜Ｆには、サプリメントＡ〜Ｆ、円筒容器８３のＳには治療薬が収容され、又、チップＡ〜Ｓには自分の各世代の顔写真が糊付けされている。
又、特にチップＳには、現在の自分の写真が糊付けされている。
ウサギ形状物７４のＡ〜Ｓに対応する部分に、円筒容器８３のＡ〜Ｓ、及びチップ８８のＡ〜Ｓを装着する。
円筒容器８３のＳとチップ８８のＳを装着したウサギ形状物７４のＳを舞台上の好みの場所に載置する。
他の円筒容器８３、装着型ウサギ形状物７４のＡ〜Ｆのバランスを考慮しながら舞台上に載置する。
治療と美容・健康のバランスを考慮して、治療薬、サプリメントを選択しながら摂取する。
その際、各世代における自分の写真を見ながら過去の思い出に浸り、豊かな時を満喫する。
しばらくしてから、ウサギ形状物７４、円筒容器８３、チップ８８は下箱のそれぞれの描画が印刷された領域に収納する。
３．効果
サプリメント等の使用の度に過去の思い出に浸り、豊かな時を過ごす事が出来る。
玩具として癒し、遊び心が満喫できる。
サプリメントと治療薬を同一収納箱で保管するため、飲み忘れ、紛失が防止できる。
旅行の携帯用として最適である。
ボケの防止が期待できる、などの複合機能を有する生活用具として発展が期待できる。
【実施例４】
【００６５】４情報の共有化と親密度を増進する生活用具
１．機器
実施例４の生活用具は、キャラクター形状物Ｂのウサギ形状物９１図、１２、容器Ｂのドングリ容器１１１図、１３、キャラクター構造物Ｂのリボン１０６、チップ９５、７枚と、これらの載置具・収納箱９９からなるセット及び、付属品のメモ用紙１１４で６種類、１２構造物からなる。
ウサギ形状物９１にドングリ容器１１１が着脱自在に装着された状態は、容器Ｂ装着型キャラクター形状物Ｂ、又、ウサギ形状物９１にリボン１０６、チップ９５が着脱自在に装着された状態は、キャラクター構造物Ｂ装着型キャラクター形状物Ｂに該当する。ウサギ形状物９１及び載置具・収納箱９９の材質は３０％鉄粉充填プラスチック樹脂、リボン１０６及びチップ９５はプラスチック樹脂、ドングリ容器１１１及びメモ用紙１１４は紙からなり、可動物は、ウサギ形状物９１である。
ウサギ形状物９１はウサギ形状を有する厚さ約１０ｍｍの板で、前面部はリボン装着部に装着されたリボン１０６、顔面部９３、フレキシブルバー９２、チップ装着部９６、底部固定部磁石９８、背面部は、ドングリ容器装着部９４から構成される。
リボン装着部、チップ装着部９６及びドングリ容器装着部９４を構成する３０％鉄粉充填プラスチック樹脂とリボン１０６、チップ９５の背面及び、ドングリ容器１１１の外部表面に接着固定設置された磁石１０７、１０５、１１２、が着脱自在に接触固定できる構造を有している。
顔面部９３に設置された眉、鼻、口は形状が可変できるプラスチック樹脂のフレキシブルバー９２から形成され、略中央部に突起を有し、顔面部９３の所定の位置に設置された板の穴に嵌め込む構造になっている。
図１３のドングリ容器１１１はドングリ形状を有し、開閉部１１５、磁石１１２、内蔵部１１３から構成され、内蔵部１１３には、メモ用紙１１４が収容され、又、ドングリ容器１１１の外部表面と磁石１１２は、接着により固定設置されている。ドングリ容器１１１の開閉部１１５はネジ構造を有し、回転により自由に開閉でき、内蔵部１１３は情報伝達に必要なメモ用紙１１４を収容するスペースを保有している。
チップ９５はハート型状を有する薄い板７枚からなり、前部は、気分情報表現部９７、後部は、磁石１０５から構成される。
又、７枚のチップ９５の気分情報表現部９７には、それぞれＧＲＥＡＴ、ＧＯＯＤ、ＮＯＴＢＡＤ、ＢＡＤ、ＴＥＲＲＩＢＬＥ、ＳＥＣＲＥＴ、ＮＯ  ＣＯＭＭＥＮＴの７種類の英文字が記載されている。
載置具・収納箱９９は載置機能、収納機能、取り付け機能を有し、上箱１００と下箱１０２から構成され、上箱１００は、上部表面が略円形状の薄い筒状を呈し上箱１００が下箱１０２を包む嵌め合い構造で簡単に開閉部１０１から開閉が出来る。上箱１００の上部表面の縁１０４に赤い太線が印刷され、内側が舞台１０３を形成している。又、舞台１０３形成する３０％鉄粉充填プラスチック樹脂とウサギ形状物９１の底部固定部磁石９８は、磁気的吸引力の作用により着脱自在に接触固定される。
上箱１００の外周部１０９ａに設置された円柱状の携帯電話取付具１０８に伸縮自在チューブ１０９が取り付けられ、伸縮自在チューブ１０９を伸ばし、携帯電話に取り付けられたストラップの紐をフック１１０に吊るすことにより装着される。下箱１０２内部は仕切り線により区分けされウサギ形状物９１、ドングリ容器１１１、付属品のメモ用紙１１４等は、それぞれの描画が印刷された領域に収納される。
２．使用方法
ビジュアル環境において、ウサギ形状物９１を通じて、相手・仲間に自己の気分情報を伝達し、会話によるコミュニケーションを図り、情報の共有化と親密度を増進すると共に、日常生活を感覚的、感情的に豊かにする生活用具の実現である。
例えば仲間と二人でレストランに行きテーブルに着席、バッグから載置具・収納箱９９を取り出し開口する。載置具・収納箱９９の下箱１０２からウサギ形状物９１、ドングリ容器１１１、チップ９５、７枚、メモ用紙１１４、リボン１０６を取り出す。現在の自分の気分状態を直感的、感覚的に把握し、ウサギ形状物９１の顔面部９３に設置された眉、鼻、口を形成するフレキシブルバー９２で気分に合致した表情を表現する。
気分に合致した表現が記載されたチップ９５を選択、抽出し、チップ９５の背面の磁石１０５をウサギ形状物９１のチップ装着部９６に接触固定させる。リボン１０６の磁石１０７をウサギ形状物９１のリボン装着部に接触固定させる。
ドングリ容器１１１の表面に固定設置された磁石１１２をウサギ形状物９１のドングリ容器装着部９４に接触固定させる。ドングリ容器１１１の内蔵部１１３には仲間に伝達したい情報が、予めメモ用紙に記載され封入されている。残りのチップ９５、６枚、メモ用紙１１４は、下箱１０２に収納し、上箱１００に嵌め込む。
載置具・収納箱９９の上部表面に形成された舞台１０３上に、ドングリ容器１１１が装着されたウサギ形状物９１の底部固定部磁石９８を舞台１０３の好みの位置に接触固定させる。
携帯アクセサリーとしてテーブルに載置し、お洒落を楽しむ。
終了後、ウサギ形状物９１からドングリ容器１１１を取り外し、仲間に渡す。
仲間は、後程、ドングリ容器１１１の内蔵部１１３に収容されているメモ用紙１１４に記載された情報内容を楽しむ。
３．効果
実施例４はレストランなどのビジュアル環境において、お洒落な携帯アクセサリー、遊び心の満喫と癒し、情報交換ツールとして情報の共有化と親密度増進、自己の気分情報の演出、コミュニケーションツールとして利用、などの複合機能を有する生活用具として期待できる。
【実施例５】
【００６６】５幼児の知的情操教育と親子の触れ合いを楽しむ生活用具
１．機器
実施例５の生活用具は、キャラクター形状容器Ｂの親ウサギ容器１１６と親カメ容器１２６、容器Ｂの子ウサギ容器１２４と子カメ容器１３１、キャラクター形状物Ａのカラス１３６と太陽１３９、キャラクター形状物Ｂの魚１４１、キャラクター構造物Ａのリボン１３８、キャラクター構造物Ｂのリボン１４３、付帯物の絵本とこれらの載置具・収納箱１４５からなるセット、１０種類、１０ヶの構成物からなる。
親ウサギ容器１１６に子ウサギ容器１２４及び親カメ容器１２６に子カメ容器１３１が着脱自在に装着された状態は、容器Ｂ装着型キャラククー形状容器Ｂ、魚１４１にリボン１４３が着脱自在に装着された状態はキャラクター構造物Ｂ装着型キャラクター形状物Ｂ、及びカラス１３６にリボン１３８が固定設置された状態は、キャラクター構造物Ａ設置型キャラクター形状物Ａに該当する。
１０種類、１０ヶの構成物の材質は、親ウサギ容器１１６、親カメ容器１２６、魚１４１及び載置具・収納箱１４５は全て３０％鉄粉充填プラスチック樹脂、子ウサギ容器１２４、子カメ容器１３１、カラス１３６、太陽１３９、リボン１３８、リボン１４３は全てプラスチック樹脂、又絵本は紙よりなる。
親ウサギ容器１１６、親カメ容器１２６、カラス１３６、太陽１３９、魚１４１は全て底部固定部磁石が設置されており、載置具・収納箱１４５の舞台１４６上でどこにでも自由に載置可能な可動物である。
図１４の親ウサギ容器１１６及び図１５の親カメ容器１３１は、共に底部固定部磁石１１７と１２７、開閉部１１８と１２８、内蔵部１２０と１３０から構成され、親ウサギ容器１１６の内蔵部１２０には、菓子Ａが、又親カメ容器１２６の内蔵部１３０には、菓子Ｃが収容されている。
図１９の載置具・収納箱１４５は、開口部１４９を介して上箱１５０と下箱１５１に分かれ、嵌め込みにより開閉できる構造を有している。
載置具・収納箱１４５の上箱１５０の上部面１４８の大きさは、略Ａ４サイズで、印刷により縁１４７が形成され、縁１４７の内側は、舞台１４６を形成、又、上部面１４８には印刷により背景描画図が描かれている。
絵本は、ウサギとカメの物語の童話からなり、４ページにわたり描画図と物語が記載されている。図２０の下箱１５１の内部の底面１５２は、仕切り線１５３により区分けされ、５種類の可動物と絵本はそれぞれの描画図に示された領域に収納される。
２．使用方法
実施例５は、１〜３才の幼児を持つ家庭の主婦をターゲットとし、幼児の知的情操教育をしつつ親子の触れ合いが楽しめる生活用具の実現である。
載置具・収納箱１４５の開口部１４９を開き、親ウサギ容器１１６、親カメ容器１２６等と絵本を取り出し、載置具・収納箱１４５を閉じる。
載置具・収納箱１４５の上箱１５０の上部面１４８に描画された背景画面図を幼児の正面に向けて置く。
次に絵本を開くと絵本には、ウサギとカメの物語の文章と親ウサギ容器１１６など５種類の可動物が描写されている背景描画図が現れる。
１第１段階：舞台１４６上で絵本の描画図どおり真似る・・・・・守
親が絵本を読んで聞かせ、描画図を見せ、幼児は５種類の可動物を描画図どおりに配置する。この行為を何回も繰り返し練習させる。
練習後は、親ウサギ容器１１６、子ウサギ容器１２４、親カメ容器１２６、子カメ容器１３１に内蔵されている菓子Ａ１１９、菓子Ｂ１２２、菓子Ｃ１２９、菓子Ｄ１３４を取り出し、親子の触れ合いとおやつタイムを満喫する。
２第２段階：舞台１４６上で幼児に自由に想像させ、配置させる・・・・・破
親が絵本を読んで聞かせ、描画図は見せずに、自由に想像させ、思いどおりに可動物を配置させる。幼児の個性、想像力、創作力が発揮される。
３第３段階：幼児の個性に応じた想像力、創作スタイルを知る・・・・・離
親が絵本を読まず、描画図も見せず、自由に想像させ、創作させる。
何回も練習すると個性に応じた創作パターンに収束する。
４第４段階：幼児の創作による新しいウサギとカメの物語完成・・・・・創作
幼児が創作したウサギとカメの物語の描画図を携帯電話により撮影、又独自に作成した物語を録音、これらを編集し保管する。
後日、子供の幼児時代の思い出として収録した録画を見ながら、幼年時代を懐古しつつ家族の団欒が楽しめる。
３．効果
幼児の知的情操教育を通じて、自然に観察力、想像力、創作力が身に付く。
親子の触れ合いにより、楽しい時間が共有できる。
後片付け、整理整頓の習慣が身に付く。
幼児を中心とした家族の団欒の場ができ、慈しみ・愛情が深まる。
幼児の知的情操教育を通じて、幼児の個性、性質が把握できる。
幼年時代の貴重な体験が、思い出として記録に残る。
上記体験が可能な生活用具として活用が期待できる。
【図１】
2013009957.tif 000005
【図２】
2013009957.tif 000006
【図３】
2013009957.tif 000007
【図４】
2013009957.tif 000008
【図５】
2013009957.tif 000009
【図６】
2013009957.tif 000010
【図７】
2013009957.tif 000011
【図８】
2013009957.tif 000012
【図９】
2013009957.tif 000013
【図１０】
2013009957.tif 000014
【図１１】
2013009957.tif 000015
【図１２】
2013009957.tif 000016
【図１３】
2013009957.tif 000017
【図１４】
2013009957.tif 000018
【図１５】
2013009957.tif 000019
【図１６】
2013009957.tif 000020
【図１７】
2013009957.tif 000021
【図１８】
2013009957.tif 000022
【図１９】
2013009957.tif 000023
【図２０】
2013009957.tif 000024